(57)【特許請求の範囲】
【請求項１】
撒餌を収容する通水自由な本体ケースと、
本体ケースに設けられて本体ケースを釣糸に沿ってスライド可能に係止する係止部と、
撒餌を載置する底板部、および底板部の本体ケース中央寄り端部から下向きに延設された垂下板部から成っていて、本体ケース内の両側に離間配置される１対の遮蔽壁と、
１対の遮蔽壁の対向する垂下板部間に形成されて本体ケース内の撒餌を放出する放出口と、
本体ケース内の両側下部に上下揺動自在に軸支されて放出口を下方から開閉する１対の開閉板とを備えてなり、
放出口を開閉する部分を作用点部とし軸支位置を支点とする開閉板の、力点部に浮子と錘を配備し、水中において錘にかかる重力よりも浮子の浮力が大きくなるように構成し、各遮蔽壁の下方に、各開閉板が開いたときの力点部を撒餌から遮蔽する遮蔽空間を形成したことを特徴とする撒餌器。
【請求項２】
開閉板の作用点部に開閉板通水孔を貫通形成した請求項１に記載の撒餌器。
【請求項３】
開閉板の周囲を囲む筒部材を本体ケースから下方に延在して設けた請求項１または請求項２に記載の撒餌器。
【請求項４】
本体ケースの上部に上端開口を形成し、この上端開口縁の一部をほぼ直線状に形成し、上端開口を開閉可能な上蓋を本体ケースに取り付けた請求項１から請求項３のいずれか一項に記載の撒餌器。
【発明の詳細な説明】
【技術分野】
【０００１】
本発明は、魚釣りにおいて魚をおびき寄せるために使用される撒餌器に関するものである。
【背景技術】
【０００２】
従来、この種の撒餌器としては、下記の特許文献１に記載された本発明者創案の撒餌器が知られている。下記文献記載の撒餌器は、内部に収容された撒餌を放出する放出口が下部に形成された通水自由な本体ケースと、本体ケースに設けられて本体ケースを釣糸に沿ってスライド可能に係止する係止部と、本体ケース内に収納された浮き体製の蓋体とを備え、本体ケースが水中に沈んだときに蓋体が水から浮力を受けて浮き上がり放出口を開放するようになっている。
【０００３】
【特許文献１】特開平９−２２４５３８号公報
【発明の開示】
【発明が解決しようとする課題】
【０００４】
前記した従来の撒餌器では、浮き体製の蓋体が水中に沈むと浮力を受け直ちに浮き上がって放出口を開放するので、比較的浅いポイントで撒餌が撒かれてしまい、所望深さの目標ポイントで撒餌できないことがあった。また、浮き体製の蓋体の上に撒餌が載っているため、その重量で蓋体が浮き上がらず放出口が開放されないこともある。それを解消するために釣竿をしゃくり上げたとしても、本体ケースが強く持ち上げられて蓋体がよりいっそう放出口を閉じる方向に付勢されるため、撒餌をうまく撒けなかったのである。
【０００５】
本発明は、上記した従来の問題点に鑑みてなされたものであって、投てき後の空中や水中では撒餌を散逸させることなくしっかりと収容しており、水中における予定の目標ポイントで撒餌を確実に撒くことのできる撒餌器の提供を目的とする。
【課題を解決するための手段】
【０００６】
上記目的を達成するために、本発明に係る撒餌器は、撒餌を収容する通水自由な本体ケースと、本体ケースに設けられて本体ケースを釣糸に沿ってスライド可能に係止する係止部と、撒餌を載置する底板部、および底板部の本体ケース中央寄り端部から下向きに延設された垂下板部から成っていて、本体ケース内の両側に離間配置される１対の遮蔽壁と、１対の遮蔽壁の対向する垂下板部間に形成されて本体ケース内の撒餌を放出する放出口と、本体ケース内の両側下部に上下揺動自在に軸支されて放出口を下方から開閉する１対の開閉板とを備えてなり、放出口を開閉する部分を作用点部とし軸支位置を支点とする開閉板の、力点部に浮子と錘を配備し、水中において錘にかかる重力よりも浮子の浮力が大きくなるように構成し、各遮蔽壁の下方に、各開閉板が開いたときの力点部を撒餌から遮蔽する遮蔽空間を形成したものである。
【０００７】
また、前記構成において、開閉板の作用点部に開閉板通水孔を貫通形成したものである。
【０００８】
そして、前記した各構成において、開閉板の周囲を囲む筒部材を本体ケースから下方に延在して設けたものである。
【０００９】
更に、前記した各構成において、本体ケースの上部に上端開口を形成し、この上端開口縁の一部をほぼ直線状に形成し、上端開口を開閉可能な上蓋を本体ケースに取り付けたものである。
【発明の効果】
【００１０】
本発明に係る撒餌器によれば、放出口を開閉する部分を作用点部とし軸支位置を支点とする開閉板の、力点部に浮子と錘が配備されるとともに、水中において錘にかかる重力よりも浮子の浮力が大きくなるように構成されているので、撒餌器が空中を飛行しているときは、飛行方向の慣性力が錘に働き、かつ、開閉板は放出口を閉じる方向の圧力を空気から受ける。これらにより、飛行中に放出口を確実に閉止することができる。そして、撒餌器が着水すると、浮子の浮力が錘にかかる重力に打ち勝って、放出口を開く方向に開閉板を付勢する。揺動中の開閉板の力点部および浮子は遮蔽空間内に収容されているので、撒餌や他部材と干渉することなく自由に揺動できる。これらにより、放出口を確実に開くことができる。そして、撒餌器の停止後は本体ケース内の撒餌が自重や釣竿からの小刺激により放出口から器外に放出される。すなわち、本発明の撒餌器は、予定の目標ポイントまでは撒餌をしっかりと収容して散逸させることがなく、目標ポイントで確実に撒餌を撒くことができる。その結果、魚類を集合させて優れた釣果を大にすることができる。
【００１１】
また、放出口を開閉する開閉板の作用点部に開閉板通水孔を貫通形成したものでは、撒餌器の着水後に浮子の浮力によって開閉板が揺動しようとする際に、開閉板と接する水の一部が開閉板通水孔を通過する。これにより、開閉板にかかる水の抵抗が軽減されて開閉板の揺動が容易となり、放出口を確実に開くことができる。
【００１２】
そして、開閉板の周囲を囲む筒部材を本体ケースから下方に延在して設けたものでは、筒部材が撒餌器の下降の際に潮流等の横からの水圧を受け止めるので、潮流等に邪魔されることなく安定して浮子に浮力を生じさせ、開閉板を確実に回転させて放出口を開くことができる。
【００１３】
更に、本体ケースの上部に上端開口を形成し、この上端開口縁の一部をほぼ直線状に形成し、上端開口を開閉可能な上蓋を本体ケースに取り付けたものでは、撒餌が収容されている餌箱の平坦な底面に、ほぼ直線状の上端開口縁を滑らせて、撒餌を取りこぼすことなく迅速に本体ケース内に掬い入れることができる。
【発明を実施するための最良の形態】
【００１４】
本発明の最良の実施形態を図面に基づいて説明する。尚、以下に述べる実施形態は本発明を具体化した一例に過ぎず、本発明の技術的範囲を限定するものでない。図１は本発明の一実施形態に係る撒餌器の斜視図、図２は前記撒餌器および釣糸などを示す側面図、図３は前記撒餌器の上蓋を開いた状態を示す平面図、図４は前記撒餌器の底面図、図５は前記撒餌器の正断面図である。
各図において、この実施形態に係る「撒餌器」１は、「上端開口」２０を有する筒状ケーシング２と、筒状ケーシング２の上端開口２０を開閉可能な「上蓋」３とを備えている。筒状ケーシング２は、上蓋３とともに「本体ケース」６を構成するケーシング上部４と、ケーシング上部４から下方に延在して形成された「筒部材」５とから構成されている。ケーシング上部４の上端開口２０は矩形状であり、４辺の「上面開口縁」２５，２５，２５，２５（図６参照）は全て直線状に形成されている。すなわち、前面側の上面開口縁２６も直線状となっている。
【００１５】
上蓋３には、多数の蓋板通水孔７，７，７，・・・が上下貫通して形成されている。これらの蓋板通水孔７，７，７，・・・は水中降下中の撒餌器１内の水圧を減少させることにより水中降下を円滑にするためのものである。尚、これらの蓋板通水孔７，７，７，・・・は筒状ケーシング２を通水自由とするが、筒状ケーシング２内に収容した「撒餌」Ｍは通さない大きさに形成されている。この上蓋３はケーシング上部４の背面上端部にヒンジ部材１０，１０を介して前後揺動自在に取り付けられている。上蓋３の前面には留め具８が取り付けられている。この留め具８は上蓋３が筒状ケーシング２の上端開口２０を閉じたときにケーシング上部４の前面上部と係合して上蓋３を係止するようになっている。
【００１６】
ケーシング上部４内の左右両側には側面視横転Ｌ字状の１対の「遮蔽壁」１２，１２が離間配置されている。各遮蔽壁１２は、撒餌Ｍを載置する「底板部」１２Ｂと、底板部１２Ｂの筒状ケーシング２の中央寄り端部から下向きに延設された「垂下板部」１２Ａとから構成されている。１対の遮蔽壁１２，１２の、対向する垂下板部１２Ａ，１２Ａ間は放出口１３となっており、この放出口１３から、ケーシング上部４内における遮蔽壁１２，１２上方の撒餌収容空間２７に収容された撒餌Ｍが放出されるようになっている。
【００１７】
放出口１３の下方位置におけるケーシング上部４内には、左右１対の「開閉板」１４，１４が配備されている。各開閉板１４は両側面に１対の軸９，９が突設されている。これらの軸９，９は、本体ケース２の前面壁および背面壁に形成された軸穴２２，２２に回動自在に軸支されている。これにより、開閉板１４，１４は観音開き式で上下揺動自在に放出口１３を開閉するようになっている。各開閉板１４において、軸９の位置を支点にして、放出口１３を開閉する作用点部１４Ａとは反対側の力点部１４Ｂに、中空容器として構成された「浮子」１６と、例えば鉛から成る「錘」１７とが配備されている。錘１７の重量およびその設置位置は、撒餌器１が水中において錘１７にかかる重力よりも浮子１６の浮力が大きくなるように設定されている。当然ながら、錘１７は開閉板１４の作用点部１４Ａに載っている撒餌Ｍの重さを支持するに十分な重量を持たせておく必要があり、浮子１６は投てきが繰り返される撒餌器の性格上強い耐久性を有する完全密閉の中空容器にしておく必要がある。
【００１８】
各遮蔽壁１２の下方はそれぞれ「遮蔽空間」１８と成っている。これらの遮蔽空間１８は各開閉板１４が開いた際に、力点部１４Ｂおよび浮子１６が撒餌Ｍや他部材と干渉することなく自由に揺動できるように、力点部１４Ｂおよび浮子１６を撒餌Ｍなどから遮蔽する。そして、開閉板１４の作用点部１４Ａには、上下貫通する「開閉板通水孔」１５が複数形成されている。開閉板１４は浮子１６の浮力によって矢印Ｒ方向に回転しようとするがその際に水の抵抗を受けるので、これらの開閉板通水孔１５，１５，１５，・・・は水の抵抗を減少させて開閉板１４の揺動運動を円滑にさせるものである。尚、これらの開閉板通水孔１５，１５，１５，・・・も、筒状ケーシング２内に収容した撒餌Ｍは通過させることなく通水は可能な大きさに形成されている。また、ケーシング上部４下部の左右内側面には、開閉板１４，１４が放出口１３を閉じたときに力点部１４Ｂ，１４Ｂの端部が当接して開閉板１４，１４をその姿勢で停止させる停止突起１９，１９が突設されている。
【００１９】
上記の筒部材５は開閉板１４，１４が全開の場合でもそれらの周囲を囲む大きさ・寸法に形成されている。筒部材５により囲まれた空間である受圧室２１は常に開放されていて外部とつながっている。この受圧室２１内とケーシング上部４の撒餌収容空間２７内とは放出口１３を介して連通している。
【００２０】
本体ケース６のケーシング上部４の背面には、上下２つの「係止部」１１Ａ，１１Ｂが設けられている。これらの係止部１１Ａ，１１Ｂは釣糸Ｔを通すリング状に形成されており、本体ケース６を釣糸Ｔに沿って上下スライド可能に係止するようになっている。係止部１１Ａ，１１Ｂに通された釣糸Ｔは係止部１１Ａ，１１Ｂの上下位置でヨリモドキ２３Ａ，２３Ｂと結ばれている。更に、下側のヨリモドキ２３Ｂと結ばれた釣用錘２４の下方には釣針付きのテグスＴ１が結ばれている。上側のヨリモドキ２３Ａと釣竿間の釣糸Ｔには、撒餌器１を所定の深度で留めるための釣用浮Ｆ（図７参照）が取り付けられている。
【００２１】
上記のように構成された撒餌器１の作用を次に説明する。まず、図６に示すように、上蓋３を開いて指で押さえ、上端開口２０から撒餌Ｍ，Ｍ，Ｍ，・・・を筒状ケーシング２内に掬い入れる。この場合、上端開口２０の前面側の上面開口縁２６が直線状となっているので、底面が平坦な餌箱に収容されている撒餌Ｍ，Ｍ，Ｍ，・・・であっても、取りこぼすことなく迅速に掬い入れることができる。前記のように撒餌Ｍ，Ｍ，Ｍ，・・・を掬い入れた撒餌器１を正立させると、図５に示したように撒餌収容空間２７に撒餌Ｍ，Ｍ，Ｍ，・・・が収容された状態となる。このとき、開閉板１４，１４は錘１７，１７の重量により放出口１３を閉止している。
【００２２】
そこで、釣針に餌を付け、図７に示すように、釣人Ｎが釣竿を振り出すと、ヨリモドキ２３Ｂに係止部１１Ｂが当接して撒餌器１が空中に投げ上げられる。このとき、撒餌器１の錘１７に投てき方向の慣性力が働く。また、開閉板１４の作用点部１４Ａが空中で風圧を受ける。これらにより、開閉板１４，１４は空中で放出口１３を閉止している。
【００２３】
そのうち、撒餌器１が着水すると、釣用錘２４の重量によりヨリモドキ２３Ａが係止部１１Ａに当接し、撒餌器１を随伴させて下降していく（図７中の矢印Ｄ方向）。撒餌器１の下降と同時に浮子１６に浮力が生じ、更に浮子１６の浮力が錘１７にかかる重力に打ち勝ち、軸９をてこの支点として放出口１３を開く方向（図７中の矢印Ｒ，Ｒ方向）に開閉板１４，１４を揺動させる。これらにより、放出口１３が全開にされる。開閉板１４が全開状態に移行した時、浮子１６が遮蔽壁１２の垂下板部１２Ａの内壁に接して開閉板１４を所定の起立姿勢に保持する。かかる撒餌器１の下降の際に、受圧室２１の周りの筒部材５は潮流等の横からの水圧を受け止めるので、潮流等に邪魔されることなく安定して浮子１６に浮力を生じさせ開閉板１４を確実に回転させる。この開閉板１４の揺動の際に、開閉板１４と接する水の一部は開閉板通水孔１５，１５，１５，・・・を通過する。これにより、開閉板１４にかかる水の抵抗が軽減されて開閉板１４の揺動が容易となる。更に、揺動中の開閉板１４の力点部１４Ｂおよび浮子１６は遮蔽空間１８内に収容されているので、撒餌Ｍや他部材と干渉することなく開閉板１４は自由に揺動できる。これらにより、放出口３を確実に開くことができる。
そして、全開にされた放出口３から上向きの水流は筒状ケーシング２内に入って撒餌Ｍを上蓋３の下方に押し上げたのち、多数の蓋板通水孔７，７，７，・・・から器外に流出する。この様な状態で下降する撒餌器１が所定の深度に到達すると、釣用浮Ｆの作用により釣糸Ｔが停止する。
【００２４】
上記のように、釣糸Ｔが釣用浮Ｆの作用により停止した後、撒餌器１は釣糸Ｔに沿って徐々に降下し、図８に示すように、係止部１１Ｂがヨリモドキ２３Ｂに当接して撒餌器１が停止する。このとき、開閉板１４，１４の全開状態に変化はなく、筒状ケーシング２内の撒餌Ｍは釣竿による小さな刺激および潮流等の作用により放出口１３および受圧室２１から器外に放出されることとなる。その場合も、浮子１６および開閉板１４の力点部１４ｂは遮蔽壁１２内の遮蔽空間１８に収容されているので、撒餌Ｍの放出を邪魔することはない。これらにより、魚類を効率よく集合させることができる。
すなわち、この撒餌器１によれば、所望の目標ポイントまでは撒餌をしっかりと収容して、目標ポイントでは撒餌を確実に撒くことができる。その結果、大きな釣果が得られるのである。
【００２５】
尚、上記の実施形態では、上蓋３と筒状ケーシング２とを別個独立に構成したが、本発明の撒餌器はそれに限定されるものでなく、例えば上蓋３と筒状ケーシング２とを一体にして上端開口２０のない本体ケースを形成し、その本体ケースの側面などに撒餌投入口を設けたものでも構わない。
また、上記では本体ケース６の上蓋３に蓋板通水孔７を形成して通水自由としたが、本発明は本体ケースの本体側面に通水孔を設けたものでも構わない。あるいは本体ケース全体を、撒餌を通さない、多孔板、メッシュ体、または金網などで通水自由に構成してよい。
【図面の簡単な説明】
【００２６】
【図１】本発明の一実施形態に係る撒餌器の斜視図である。
【図２】前記撒餌器および釣糸などを示す側面図である。
【図３】前記撒餌器の上蓋を開いた状態を示す平面図である。
【図４】前記撒餌器の底面図である。
【図５】前記撒餌器の正断面図である。
【図６】前記撒餌器の上端開口から撒餌を掬い入れる態様を示す動作説明図である。
【図７】前記撒餌器が下降し開閉板が開いている態様を示す動作説明図である。
【図８】前記撒餌器から撒餌が放出される態様を示す動作説明図である。
【符号の説明】
【００２７】
１    撒餌器
２    筒状ケーシング
３    上蓋
４    ケーシング上部
５    筒部材
６    本体ケース
７    蓋板通水孔
９    軸（支点）
１１Ａ，１１Ｂ  係止部
１２  遮蔽壁
１２Ａ  垂下板部
１２Ｂ  底板部
１３  放出口
１４  開閉板
１４Ａ  作用点部
１４Ｂ  力点部
１５  開閉板通水孔
１６  浮子
１７  錘
１８  遮蔽空間
２０  上端開口
２１  受圧室
２２  軸穴
２６  上面開口縁
Ｍ    撒餌
Ｒ    矢印
Ｔ    釣糸
【図１】
0004864851.tif 000002
【図２】
0004864851.tif 000003
【図３】
0004864851.tif 000004
【図４】
0004864851.tif 000005
【図５】
0004864851.tif 000006
【図６】
0004864851.tif 000007
【図７】
0004864851.tif 000008
【図８】
0004864851.tif 000009